(57)【要約】【課題】異なる媒体を調整すべき器具に簡単で簡便な方法で供給でき、安価であるが、それにもかかわらず、高い動作信頼性を有する再調整装置を提供する。【解決手段】医療用、特に歯科用器具（４）を、消毒、殺菌、および／または保守（維持）するための再調整装置（１）であって、器具（４）に清浄または保守媒体を供給する分配器ユニット（３０）を有し、分配器ユニット（３０）は、器具（４）のためのサポート部（５）に弁（２０）を介して接続された各媒体にための中央入口を有し、各弁（２０）は、分配器ユニット（３０）の選択的位置決め作動要素（２６）によって開弁位置とさせることができる封止要素（２５）を有する。【選択図】図２
2013519466.tif 000002
【特許請求の範囲】
【請求項１】
医療用、特に歯科用器具（４）を、消毒、殺菌、および／または保守するための再調整装置（１）であって、
前記器具（４）に清浄または保守媒体を供給する分配器ユニット（３０）を有し、
前記分配器ユニット（３０）は、器具（５）のためのサポート部（５）に弁（２０）を介して接続された各媒体にための中央入口を有し、
各弁（２０）は、分配器ユニット（３０）の選択的位置決め作動要素（２６）によって開弁位置とさせることができる封止要素（２５）を有する
再調整装置。
【請求項２】
請求項１に記載の再調整装置であって、
前記作動要素（２６）は、スライダー上に配置される
ことを特徴とする再調整装置。
【請求項３】
請求項１または２に記載の再調整装置であって、
前記作動要素（２６）は、制御すべき前記弁の前記封止要素を直接作動させるように構成される
ことを特徴とする再調整装置。
【請求項４】
請求項１または２に記載の再調整装置であって、
前記弁（２０）の前記封止要素（２５）はフェライト系材料により作製され、前記作動要素（２６）は磁石、特に電磁石により形成される
ことを特徴とする再調整装置。
【請求項５】
先行請求項のいずれか一に記載の再調整装置であって、
前記封止要素（２５）は、プランジャーにより形成される
ことを特徴とする再調整装置。
【請求項６】
請求項１から４のいずれか一に記載の再調整装置であって、
前記封止要素（２５）は、プレートより形成される
ことを特徴とする再調整装置。
【発明の詳細な説明】
【技術分野】
【０００１】
本発明は、医療用器具を消毒、殺菌、および／または保守（維持）するために提供される装置に関する。特に、歯科用器具はその装置を伴って調整される。
【背景技術】
【０００２】
医療用あるいは歯科用ハンドピースは、医者が治療（処置）中に医者が把手（ハンドル）として保持する管状の部品（パーツ）である。歯科治療において従来から使用されているハンドピースは、いわゆるドリルハンドピースであって、処置具、特にドリルを、その前端部で支持し、後端部で継手によって供給ホースと結合される。処置具を駆動するための電力を供給するためのラインだけではなく、処理媒体、たとえば空気および／または水用の流体ラインがハンドピースを通って延びている。圧縮空気が前方端領域に配置されたタービンに供給するために提供されるいわゆるタービンハンドピースと、駆動ユニットとして電動モータを有するいわゆるモータハンドピースとの間で、しばしば区別がなされる。
【０００３】
ハンドピースの機能を維持するために、保守、特に回転可能に搭載される駆動要素の保守が、随時必要となる。さらに、これまでに歯科診療における衛生要求が高まっていることは、ハンドピースは一定の間隔で調整しなければならないことを意味している。成功した調整および対応する要件への準拠は、歯科医によって完全に文書化されなければならず、これは、人員や組織の面で少なからぬ出費を伴う。
【０００４】
歯科用ハンドピースのマニュアルでの再調整は、これまで第１に患者に使用した後に、外部からスプレー（吹きかけ）および洗浄することにより器具を消毒することによって行われてきた。一方、器具の内部の清浄は、一般的に行われなかった。その一方で、しかしながら、器具が油を伴う保守を受ける前に調整される装置の清浄および消毒は市場で利用可能となっている。機械（マシン）調整は器具のマニュアルの保守（メインテナンス）より明らかに利点を有している。その理由は、唯一機械プロセスが信頼性と再現性の清浄および保守を可能とするからである。
【発明の概要】
【発明が解決しようとする課題】
【０００５】
しかしながら、これでまでに知られている装置（デバイス）は、一般的に、個々の調整ステップにのみ使用でき、そのため、清浄、保守（メインテナンス）、および殺菌はそれぞれ個別に行わなければならない。そのため必要なすべての装置は、空間（スペース）が比較的多くの量を取り、電気、空気、流体の接続が装置ごとに必要とされる。その結果、個々の装置による歯科用器具の完全な機械調整の実行は非常に面倒であり、コストの面で高い出費を伴う。
【０００６】
さらなる不利益は、個々の装置が相互にリンクされていないことから、装置間のデータ交換があり得ないということである。このことは、次に操作要員のために余分な作業につながる。その理由は、器具調整の完全な自動文書を準備することはできないからである。さらに、器具は中間ステップで装置から装置に手動で移動する必要がある。これらは、集中的な人員の使用や大きな時間の要求を伴う。
【０００７】
上述した理由で、最近、歯科用器具の完全な調整を可能にする装置やシステムの利用が増加している。このような装置は、器具の調整のために相次いで別の対策を実施し、そのめたに、非常に異なる媒体を使用している。たとえば、器具の完全な再調整を達成するために、清浄剤、消毒剤、並びに保守および圧縮空気が使用されている。このことは必然的に、非常に異なる媒体を分配し利用可能にするシステムの存在を必要とする。
【０００８】
これまでに知られている解決策は、対応する電磁弁（ソレノイドバルブ）ブロックにより、器具への個々の媒体の分配に基づいている。このような解決策は、比較的高い支出を伴い、結果として対応するコストを伴う。
【０００９】
本発明の基礎となる目的は、したがって、異なる媒体を供給するための安価な代替手段を提供することにある。
【課題を解決するための手段】
【００１０】
その目的は、請求項１の特徴を有する医療用、特に歯科用器具を消毒、殺菌、および／または保守（維持）するための再調整装置により達成される。本発明の有利なさらなる進展は、従属請求項の主題である。
【００１１】
本発明に係る解決策は、特別に構成された弁を有する分配器ユニットの使用に基づいており、その弁は製造が安価である。そのために、各弁が、分配器ユニットの選択的位置決め作動要素（アクチュエータ要素）によって開弁位置とさせることができる封止要素（密閉要素）を有することが提供される。
【００１２】
したがって、医療用、特に歯科用器具を消毒、殺菌、および／または保守（維持）するための本発明に係る再調整装置が提案され、再調整装置は、器具に清浄あるいは保守媒体を供給する分配器ユニットを有している。この分配器ユニットは、各媒体のために、弁を介して器具のためのサポートに接続された中央入口（セントラルインレット）を有し、各弁は、分配器ユニットの選択的位置決め作動要素（アクチュエータ要素）によって開弁位置とさせることができる封止要素（密閉要素）を有する。
【００１３】
作動要素は、好ましくは、たとえば直線または回転移動可能とすることができるスライダー上に配置されている。作動要素は、制御すべき弁の封止要素を直接作動させるように構成することができる。しかし、代わりに、封止要素がフェライト材料で作製され、アクチュエータ要素が磁石、特に電磁石によって形成されることが提供できる。
【００１４】
次に、封止要素はプランジャーにより、あるいはプレートにより形成することができる。
【００１５】
最終的に、本発明に係る解決策は、異なる媒体が調整すべき器具に簡単で簡便な方法で渡る（通る）ことができる構成を作製する。この構成の製造は安価であるが、それにもかかわらず、高い動作信頼性を有している。
【図面の簡単な説明】
【００１６】
【図１】歯科用器具を消毒、殺菌、および／または保守するための装置の処理あるいはすすぎ室を示す断面図である。
【図２】媒体を供給するめの本発明に係る構成の個々の弁を示す。
【図３】異なる媒体を供給するための配置の構成を概略的に示す。
【発明を実施するための形態】
【００１７】
この発明は、添付図面により以下さらに詳細に説明される。
【００１８】
図１は、まず、医療用、特に歯科用器具を消毒、殺菌、および／または保守（維持）するための装置の構成を概略的に示す。装置は以下では一般的に参照符号１で提供される。
本発明に係る保守（維持）装置１の中心的な要素は圧縮容器２であり、圧縮容器は処理あるいはすすぎ（リンス）室を囲んでいる。清浄あるいは保守すべき器具４は処理が行われている間このすすぎ室３に配置される。器具４の配置は器具キャリア（器具坦持体）によって実行され、器具キャリア上には、複数のプラグインの位置あるいは継手５が配置されている。異なる継手５は、好適には、異なるメーカーの継手システムと器具が調整できるように提供される。本事例においては、処理室３の蓋６が器具キャリアとして用いられる。蓋６は、供給システムに清浄される器具４の流体継手を提供する。それは、圧力容器２の縁にクランプされ（固定され）、ロッキング装置によってそれに対して密封（封止）されている。個々の器具４およびそれらのチャネルは、蓋６に組み込まれた接続パイプを介して、清浄および／または保守剤を、個別にまたは一緒に施すことができる。
【００１９】
器具４の清浄および／または保守の場合の処理シーケンスは、まず、一般的に以下に説明される。調整の開始前に、処理室３がその圧力で締められていることが確認（チェック）される。それにより、蓋６が正しく取り付けられ、圧力容器２にロックされていることが保証される。確認はまた、蓋６と圧力容器２の縁をはしっているライン間の流体ラインの正しい接続を保証するために行われる。
【００２０】
装置１への給水については、水道水が下流混床イオン交換の有無にかかわらず好ましくは浸透システムによりろ過され、溶存塩が除去される。＜１５μＳ/ｃｍの品質の水は、装置側の貯蔵容器に渡され（流され）、その充填レベルはフローティングスイッチの形態のレベルスイッチにより監視され、その品質はコンダクタンスセンサを介して監視されている。衛生上の理由から、貯蔵容器への入口は、いわゆる自由落下距離が設定されている。
【００２１】
本発明に係る装置による器具の調整において、以下のステップ（処理）が連続して行われる。
【００２２】
ａ）清浄
まず、水が上述した貯蔵容器から処理室３に渡される（流される）。この操作は、ポンプによって、あるいは吸引による真空を経由して行うことが可能である。処理室３において、水は加熱要素によって約４５°Ｃまで加熱される。ここでは、アルブミンの凝固を防止するために、温度が約４５°Ｃでないことが保証される。水はさらにポンプによって循環され、圧力容器２の側面あるいは中央のドームに装着されたスプレーノズル（噴霧ノズル）を介して、それらを清浄するために器具４の外部表面上に導かれる。清浄水はここで、器具４および／あるいは器具４のスプレーチャネル（噴霧チャネル）を通して、および／あるいは外部清浄のために、処理室３のスプレーノズル（噴霧ノズル）を通して、流すことができる。
洗浄媒体の過熱は、それが循環している間行うことができ、それにより、清浄すべき表面はまず冷たい洗浄媒体で清浄される。清浄剤は、粉末の形態で、あるいは錠剤の形態で、あるいは対応する貯蔵容器から処理室３に導入することができる。洗浄媒体は、界面活性剤やリン酸塩で構成でき、１０以上のｐＨ値を持つことができる。洗浄操作を完了するために、水が圧力容器２から排出される。
【００２３】
ｂ）十分なすすぎ‐中和
後続のステップにおいて、水が貯蔵容器から処理室３内に流され（渡され）、おおよそ４５°Ｃ〜６０°Ｃに加熱される。水の循環中、十分なリンスあるいは中和剤がさらなる貯蔵容器から供給される。また、ステップａ）に比較してより高い温度に起因して、清浄錠剤の第２成分も溶解することができる。液体は、順番にあるいは時間シフト付で、すなわち断続的に、器具４およびスプレーチャネルを通して流され（渡され）、あるいはスプレーノズルを介して器具４の外部表面に導かれる。十分なリンスあるいは中和剤として、３〜５のｐＨ値を有する特定のリン酸エステルが用いられる。
液体は、貯蔵容器から排水システムに再度排出できる。あるいは、それは（液体は）、後続の保守操作において、器具４から出てくる余分な保守剤を取るために、あるいは温かい液体とともに器具の油性外表面を簡単にすすぐために容器に残っている。この場合、液体は保守操作の後まで排出されない。そして、器具４内にスプレー水（噴霧水）の侵入することを防止するために、器具４を圧縮空気に施す方法であってもよい。
【００２４】
ｃ）保守
第３のステップにおいて、保守剤が保守剤貯蔵容器から器具内に流され（渡され）、それにより、ギアとベアリングが潤滑される。保守剤は、油として液体の形で、あるいは加圧されたディスペンサーから圧縮空気ジェットに注入することができる。また、加圧されたディスペンサーに含まれている推進剤（噴射剤）を介して泡油することができ、油／空気泡で器具の内部を充填することができる。この場合、比較的速やかに気泡が崩壊し、油は器具内部の全体に均一な薄い油膜を形成する。潤滑剤として、生分解性の脂肪酸エステル油／白油混合物が使用される。
【００２５】
ｄ）すすぎ
上述した保守操作後に、器具は、容器内にまだ存在する十分なリンス液体により外表面上をすすぐことができる。また、新鮮な水が貯蔵容器から処理室３にポンプを介して供給され、スプレーノズルを介して器具の外表面に導かれる。
【００２６】
ｅ）殺菌‐プレ真空
器具を殺菌するために、新鮮な水が貯蔵容器から処理室３に供給される。処理室３において、真空装置が換気のために接続されており、処理室３内の圧力は監視あるいは記録されている。
真空装置により、空気が処理室３から排気される。真空状態は加熱要素を介して大気圧に水を加熱することによって低減される。処理室３は蒸気で満たされ、殺菌プログラムによって手順を複数回繰り返すことが可能である。
蒸発させた水の量は、各真空サイクルで調整でき、あるいは別の方法として、蒸気の生成に必要なすべての水は、殺菌サイクルの開始時に、処理室３に導入することができる。
処理室３内に配置された加熱要素により蒸気を生成する代わりに、換気中の圧力等化のため蒸気、あるいは殺菌のための蒸気は、処理室３の外側に位置する蒸気圧力容器から供給することもできる。
【００２７】
ｆ）乾燥および冷却
殺菌が完了すると、器具４は処理室３内の蒸気を凝縮させることにより乾燥される。これは、たとえばそこに貯蔵容器から採取した水を通過させることによって、容器壁あるいは容器内に配置された要素を冷却することにより達成される。水は継続的にあるいは断続定に供給できる。冷却操作が完了すると、水は排出される。室３内の温度は５０°Ｃより低いことから、蓋６は開放することができる。器具の調整サイクルはそれによって完了する。
【００２８】
歯科用器具の完全な自動化調整は装置１により可能であることは、上記説明から明らかである。操作員による介入は必要ないことから、そのシステムは非常に便利である。当然ながら、器具の調整のための上述したシーケンスから逸脱することも可能である。同時に、非常に異なる作用剤や媒体は装置の調整のために使用できることがわかるであろう。
【００２９】
その結果として、図１に概略的に示されているように、装置１は、異なる媒体のための異なる貯蔵容器に接続されており、貯蔵容器内に配置された媒体は、選択的に除去され、またに器具に供給されることが可能である。これは種々の媒体を分配するための構成によって達成され、その構成は、主に、これまでにおける、そこを介して媒体が器具に分配される複数の電磁弁ブロックの使用に基づいている。本発明では、媒体を分配する新規な構成が提案され、より簡単にかつ安価に製造することができる。この構成は、図２および図３に関連付けて以下に説明される。
【００３０】
本発明に係る構成は、特別に構成された弁に基づくものであり、その一つが図２に示されている。それは（弁は）媒体入口２１を有し、媒体入口は室２２を介して弁２０の出口２３に接続されている。出口には、封止（密封）部２４があり、プランジャー２５を介して封止される。必要に応じて、プランジャーは、弁２０を開くまたは閉じる位置に移動することができる。
【００３１】
プランジャー２５の作動は、作動要素２６を介して行われ、その作動要素２６は弁の上部側に配置され、本例では、磁石によって形成される。以下により詳細に説明されるように、磁石２６は、必要に応じでいわゆる分配板（分配プレート）の上側に配置することができる。たとえば電磁石により形成できる磁石２６がプランジャー２５の上部に位置している場合、プランジャー２５は、好ましくはフェライト系材料より作製（形成）されるが、磁束によって引き付けられる。それが封止部２４をリフトオフすることにより、適用すべき媒体の経路が解放される。
【００３２】
上記説明から明なように、弁２０の非常に簡単な制御が可能である。この基本原則は、図３に示されるように、媒体を分配するための大規模な構成を生成するために使用される。示された例示的な実施形態において、この構成は、４つの歯科用器具のための接続ポイントに、選択的に３つの異なる媒体を供給することである。
【００３３】
その構成３０は、実質的に、他の上に配置された３つのプレートにより構成され、種々の弁のプランジャーは、いわゆる分配板（分配プレート）である上部板（上部プレート）３１に配置されている。その下に位置する第２のプレート３２においては、媒体チャネルが形成され、各媒体チャネルは、その各々の４つの取り外しポイントに、対応する貯蔵容器に接続されている中央入口から分岐する。上述した個々の弁の封止部（密封部）は、媒体チャネルの下に配置され、本例において封止部は、統合された逆止弁で構成されている。封止部の下には、第３のプレートが配置され、第３のプレートでは個々のチャネルが改めて形成され、各チャネルは弁開口部から調整すべき器具のための関連する結合アダプタに繋がる。
【００３４】
したがって、その構成は、合計で１２の弁を提供し、これらの弁を経由して、種々の媒体を器具に選択的に供給することができる。弁は初期状態で常時閉じられており、それぞれの場合において、図３の左手側に示されるように、弾性要素、たとえば渦巻きばね４２によって閉鎖位置に押し込まれるプランジャー４１によって達成される。しかしながら、プランジャー４１の上部側への磁石４３の配置によって、弁は選択的に開くことができる。磁石４３の位置決めは、直線的に移動したり回転可能となっているスライダーを介して行われる。スライダーは、磁石４３に選択的に適切な位置に配置された弁を作動させるようにすることができ、これにより適用すべき媒体の経路が解放される。一方、磁石４３が再度取り外された場合、プランジャー４１は、ばね４２により再び封止部（密封部）に押し付けられる。
【００３５】
プランジャー４１の封止（密封）エッジは平らな側で密封するように構成される。これは、プランジャー４１が正確に封止穴の中心を満たす必要がないという利点を有する。さらに、閉じた状態で、封止部の逆止弁が起動され、それにより、媒体が逆流することが防止される。
【００３６】
本発明による解決策は、結果的に、簡単な方法で、自由に異なる（さまざまな）器具のための異なる（さまざまな）媒体の適用の可能性を切り開く。それは媒体の混合が発生しないという利点がある。その理由は、それらは別々（個別）に器具に導かれるからである。システムは、容易に、追加の器具ポイントや追加媒体に拡張することができる。これは非常に低い追加コストを伴うだけいである。さらに、ホースが保守の位置に敷設されないことから、組み立てが迅速である。代わりに、問題となる媒体の中央供給点が使用することができる。
【００３７】
最後に、磁石制御の代わりに、プランジャーがスライダーによって直接駆動される構成を使用することも可能であることを留意すべきである。しかし、この場合、プランジャーの付加的な封止部（密封部）が必要とされる。
【図１】
2013519466.tif 000003
【図２】
2013519466.tif 000004
【図３】
2013519466.tif 000005
【国際調査報告】
2013519466.tif 000006
2013519466.tif 000007
2013519466.tif 000008
2013519466.tif 000009
2013519466.tif 000010
2013519466.tif 000011